(57)【要約】      （修正有）【課題】平ボディ型トラックのあおりを利用して支柱を立てるベース金具を着脱自在に取り付ける。【解決手段】平ボディ型トラックのあおり２の内面に取り付けられる支柱起立用のベース金具であり、このベース金具があおり２の上部に取り付けられる上部ベース金具１と、上部ベース金具１と長さ調整可能な接続構造を介して接続され、あおり２の下部に取り付けられる下部ベース金具７とを有しており、上部ベース金具１と下部ベース金具７とで支柱１７を起立して抱持する。【選択図】図５
2018127114.tif 000002
【特許請求の範囲】
【請求項１】
平ボディ型トラックのあおりの内面に取り付ける支柱起立用のベース金具であり、このベース金具があおりの上部に取り付けられる上部ベース金具と、上部ベース金具と長さ調整可能な接続構造を介して接続され、あおりの下部に取り付けられる下部ベース金具とを有しており、上部ベース金具と下部ベース金具とで支柱を起立して抱持することを特徴とする平ボディ型トラックのあおりに取り付ける支柱起立用のベース金具。
【請求項２】
上部ベース金具があおりの上面に係止される外側に開口したコ字形係止部と、コ字形係止部の下方に両側から内方に突出して中央側に曲がって空間を形成してこの空間で支柱を抱持する上部抱持部を有するものであり、下部ベース金具が上記上部抱持部と同様の下部抱持部を有し、下部抱持部の下方にあおりと床面との隙間に差し込まれるＬ字形差込部を有するものである請求項１の平ボディ型トラックのあおりに取り付ける支柱起立用のベース金具。
【請求項３】
接続機構が、上部ベース金具と下部ベース金具とを上下に連続させたとき、上部ベース金具の下端に下部張出板が設けられ、下部ベース金具の上端に下部張出板の上方に重合する上部張出板が設けられ、下部張出板にねじ孔を穿ち、このねじ孔にねじを下からねじ込んで上部張出板に当て、ねじを回して上部ベース金具と下部ベース金具を相対的に遠近させて上部ベース金具と下部ベース金具の長さ調整を行うものである請求項１又は２の平ボディ型トラックのあおりに取り付ける支柱起立用のベース金具。
【請求項４】
支柱に横桟が渡され、支柱の上部は横桟よりも高く設定される請求項１〜３いずれかの平ボディ型トラックのあおりに取り付ける支柱起立用のベース金具。
が縦桟ら
【請求項５】
支柱がテレスコ式で高さ調整ができるものである請求項１〜４いずれかの平ボディ型トラックのあおりに取り付ける支柱起立用のベース金具。
【請求項６】
荷台が軽トラの荷台である請求項１〜５いずれかの平ボディ型トラックのあおりに取り付ける支柱起立用のベース金具。
【請求項７】
上部ベース金具と下部ベース金具があおりの後方左右二カ所又は前後左右二ヶ所に取り付けられる請求項１〜６いずれかの平ボディ型トラックのあおりに取り付ける支柱起立用のベース金具。
【発明の詳細な説明】
【技術分野】
【０００１】
本発明は平ボディ型トラックのあおりに取り付ける支柱起立用のベース金具に関するものである。
【背景技術】
【０００２】
平ボディ型トラックの荷台に荷物を載せるときに荷台上に架台を組み、その上に荷物を載せることがある。前後長が荷台を法定内で前後にはみ出す梯子や脚立或いは刈取機のような長尺物を積むときである。特に、床面の前後長が概略１９４０mm程度と短い軽トラックのような場合、このような架台を設けているものをよく見る。このような架台は簡単に着脱できて、安全であること(強固)が条件である。
【０００３】
このようなものの先行文献として下記特許文献１と２がある。文献１は防雨シートの枠であるが、前方の鳥居と後あおりの中心にバーを渡し、これに防雨シートを切妻屋根状に架け渡すものである。比較的簡単に組み付けることができるが着脱式ではない。加えて荷物を載せる架台でもない。文献２は荷物を覆う被覆シートのフレームであるが、かなり込み入った複雑な形状をしており、取付けも簡単ではない。何よりもあおりを利用するものではないし、荷物を載せる架台でもない。
【０００４】
ところで、架台は支柱(縦桟)と横桟からなるのが通常であるが、簡単に組み立てができるということになれば、床面以外ではあおりを利用することである。例えば、あおりに支柱起立用のベース金具を溶接等の固定式にするものではなく、ワンタッチで着脱できることである。しかし、あおりの高さにしても組立誤差やメーカーの違いによる違いもある。このような場合、簡単な調整でそれができることが望まれる。
【先行技術文献】
【特許文献】
【０００５】
【特許文献１】特開２００３−１２７９１４号公報
【特許文献２】実用新案登録第３１３２０１８号公報
【発明の概要】
【発明が解決しようとする課題】
【０００６】
本発明は、平ボディ型トラック、特に、軽トラックの荷台のあおりを利用して取り付けることができる支柱起立用のベース金具に関するものであり、あおりの寸法が少々違っても簡単な調整で取り付けられるようにしたものである。
【課題を解決するための手段】
【０００７】
以上の課題の下、本発明は、請求項１に記載した、平ボディ型トラックのあおりの内面に取り付ける支柱起立用のベース金具であり、このベース金具があおりの上部に取り付けられる上部ベース金具と、上部ベース金具と長さ調整可能な接続構造を介して接続され、あおりの下部に取り付けられる下部ベース金具とを有しており、上部ベース金具と下部ベース金具とで支柱を起立して抱持することを特徴とする平ボディ型トラックのあおりに取り付ける支柱起立用のベース金具を提供したものである。
【０００８】
また、本発明は、以上の発明において、請求項２に記載した、上部ベース金具があおりの上面に係止される外側に開口したコ字形係止部と、コ字形係止部の下方に両側から内方に突出して中央側に曲がって空間を形成してこの空間で支柱を抱持する上部抱持部を有するものであり、下部ベース金具が上記上部抱持部と同様の下部抱持部を有し、下部抱持部の下方にあおりと床面との隙間に差し込まれるＬ字形差込部を有するものである構成を提供する。
【０００９】
さらに、本発明は、以上の発明において、請求項３に記載した、接続機構が、上部ベース金具と下部ベース金具とを上下に連続させたとき、上部ベース金具の下端に下部張出板が設けられ、下部ベース金具の上端に下部張出板の上方に重合する上部張出板が設けられ、下部張出板にねじ孔を穿ち、このねじ孔にねじを下からねじ込んで上部張出板に当て、ねじを回して上部ベース金具と下部ベース金具を相対的に遠近させて上部ベース金具と下部ベース金具の長さ調整を行うものである構成を提供する。
【発明の効果】
【００１０】
請求項１の発明によると、支柱を立てるのは上部、下部ベース金具といった限られた部材である。加えて、これらはあおりに簡単に取り付けることができるものであるから、必要なときに取り付け、不要なときには外しておけばよい。請求項２及び３によれば、上部、下部ベース金具は簡単な構造で高さ調整ができるから、あおりの高さが少々違っていても対処できる。
【図面の簡単な説明】
【００１１】
【図１】上部ベース金具と下部ベース金具の正面図である。
【図２】図１のＡ―Ａ断面図である。
【図３】図１のＢ矢視図である。
【図４】上下ベース金具を組み合わせて支柱を立てた側面図である。
【図５】同じく斜視図である。
【図６】支柱と横桟からなる架台を荷台にセットした軽トラの背面図である。
【図７】横桟の組付けの他の例を示す一部側面図である。
【図８】他の例を示すあおり、ベース金具、支柱の一部断面側面図である。
【発明を実施するための形態】
【００１２】
以下、本発明の実施の形態を軽トラック(以下、軽トラという) を例にとって図面を参照して説明する。図１は上部ベース金具(以下、上部金具という)と下部ベース金具(以下、下部金具という) の正面図であり、図２は図１のＡ―Ａ断面図、図３は図１のＢ矢視図であるが、上部金具１は後述する荷台のあおり２の内面に取り付けるものである。上部金具１はアルミ板等の金属の板材を成形したもので、上部にあおり２の上面に引っ掛ける外方に突出したコ字形係止部３を有しており、コ字形係止部３の下方の基板部４に両側から内方に突出して中央側に曲がって相手側に一部延びる上部抱持部５と底部にコ字形係止部３側に突出する下部張出板６を有するものである。
【００１３】
下部金具７も同様の板材であり、上部に下部張出板６に重合する上部張出板８が形成され、途中から内方側に曲がって基板部９を形成し、基板部９に上部抱持部５と同様の下部抱持部１０を形成し、さらに、底部に上部張出板８側に突出するＬ字形差込部１１を形成したものである。
【００１４】
次に、以上の上部金具１と下部金具７を組み合わせてあおり２に取り付ける場合について説明する。図４はその側面図、図５は斜視図であるが、上部金具１の下部張出板６の上方に下部金具７の上部張出板８を重ねて両者を噛み合わせる。そして、上部金具１のコ字形係止部３をあおり２の上面に引っ掛け、下部金具７のＬ字形差込部１１を荷台の床面１２とあおり２との隙間に差し込む。あおり２は床面１２との間に蝶番(図示省略)が介設されてある程度隙間があるから、この差し込みのスペースは十分にある。
【００１５】
このとき、下部張出板６の中央にねじ孔１３を形成しておき、ここに下方からねじ１４を螺合してその先端を上部張出板８に当てる。そして、ねじ１４を回してコ字形係止部３とＬ字形差込部１１を引っ張り合わせて上部金具１と下部金具７をあおり２に対して完全に固定する(念のため、ねじ１４に緩み止めナット１５を螺合しておく)。具体的には、ねじ１４を突出する方向に回せば上部金具１が下に引っ張られ、短くなる方向に回せば上に緩む。この構成は、上部金具１のコ字形係止部３と下部金具７のＬ字形差込部１１の間隔(長さ、高さ)の違いを調整する機構で、以下では接続機構１６と称する。あおり２の上面と底面との高さは組付誤差や車種によって多少違うから、それに対処するためである。
【００１６】
この操作ができたなら、上部保持部５と下部保持部で形成される内方空間に支柱(縦桟)を差し込んで床面１２で受ける。これで、支柱１７を固定して起立できるのであるが、場合によっては側面からねじ(図示省略)で止めてもよい。なお、本例では、上部抱持部５の空間を四角形とし、これに嵌入する支柱１７を同様に角パイプとしたが、これに限定するものではない。
【００１７】
荷台にセットする架台とするには支柱１7に横桟１８を取り付ける必要がある。横桟１８の取り付けは特に拘らないが、普通は縦桟の上部に横桟１８が挿入できる横孔１９を内側面にあけ、これに横桟１８を差し入れてねじ２０で止める。このとき。横桟１８の端側にはナット等１８aを溶接しておき、外側面からねじ２０を締め付けて止めればよい。このとき、支柱１７の上面は横桟１８よりも高くしておく。荷物である梯子等を乗せたとき、振動等で外方に外れて落下するのを防ぐためである。なお、支柱１７と横桟１８は溶接等で一体的に取り付けてもよいが、分割できるものの方が収納等で好ましい。これら支柱１７、横桟１８は架台を構成するものに限らず、シート等の基礎枠としてもよい。さらに、支柱１７だけであってもよい。
【００１８】
ところで、以上の構成によれば、横孔１９と横桟１８の大きさはほぼ一致しているから、支柱１７の間隔より長い横桟１８は支柱１７を立てた後は原則として入らない。したがって、外で支柱１７と横桟１８をＴ字形に組んだ後に両方の支柱１７を同時に上部抱持部５と下部抱持部１０に挿入しなければならず、なかなかに難しい。図７はこれを改善する他の例の一部側面図であるが、本例のものは、横孔１９を横桟１８が挿通できて上部に開口する縦溝１９aとしたものである。これによると、ねじ２０を外しておくことで支柱１７を立てた後に横桟１８を上から降ろして取り付けることができる。また、横桟１８の左右位置も揃う。
【００１９】
加えて、支柱１７の外面のねじ２０を通す孔も縦溝(図示省略)にすることができる。これによると、横桟１８にねじ２０を緩く組み付けたものを上から挿入でき、非常に組み付けが簡単である。こうしたとしても、荷物による荷重は下向きであるから、強度的には不足はない。何よりも、後述する支柱１７を伸縮式にしたものでは、左右の支柱１７の伸縮や横桟１８の組付けが自由にできる。
【００２０】
以上の上下金具１、７は左右一対が基本であるが、必ずしも図６のように前後に設ける必要はなく、片方(その場合は後方)だけでもよい。また、その高さは運転席２１の屋根２２より高いのが普通であるが、低くてもよい(その場合、前方は鳥居２３の上にかけて斜めに渡す)。もちろん、荷物を横桟１８や鳥居２３に止めるのはロープ等を使う。
【００２１】
図８は他の例の一部断面側面図であるが、本例のものは、支柱１７の高さを調整できるものである。つまり、常時は低くしておき、必要なときには延ばして使うものである。低くしておけば、荷物の積み下ろしにあまり影響がないし、あおり２の開閉にもほぼ支障がないから、わざわざ外さなくてもよい。なお、上下金具１、７は一度取り付ければそのままにしていても荷物の積み下ろしやあおり２の開閉にほとんど邪魔にならない。
【００２２】
支柱１７の伸縮構造もどのようなものであってもよいが、テレスコピック(テレスコ)式が適する。図７は二段式のものであるか、下支柱１７aの中に上支柱１７b を入れておき、必要な時にときに上支柱１７bを引っ張り出して使用するのである。この場合、上支柱１７bを止めて置かなければならないが、例えば、上支柱１７bの下側に下支柱１７aにかけてピン２４を通すものであってもよい。ただし、これに限るものではなく、ねじで止めるようなものであってもよい。また、段数も二段に限らず、止める位置も一個所に限らない。
【符号の説明】
【００２３】
１    上部ベース金具
２    あおり
３    コ字形係止部
４    基板部
５    上部抱持部
６    下部張出板
７    下部金具
８    上部張出板
９    基板部
１０  下部抱持部
１１  Ｌ字形差込部
１２  荷台の床面
１３  ねじ孔
１４  ねじ
１５  緩み止めナット
１６  接続機構
１７  支柱(縦桟)
１７a  下支柱
１７b  上支柱
１８  横桟
１８a  ナット等
１９  横孔
１９a  縦溝
２０  ねじ
２１  運転席
２２  運転席の屋根
２３  鳥居
２４  ピン
【図１】
2018127114.tif 000003
【図２】
2018127114.tif 000004
【図３】
2018127114.tif 000005
【図４】
2018127114.tif 000006
【図５】
2018127114.tif 000007
【図６】
2018127114.tif 000008
【図７】
2018127114.tif 000009
【図８】
2018127114.tif 000010